(57)【要約】  本発明は、高色深度の第１表示領域（２）と低色深度の第２表示領域（３）とを有する、無線通信用の移動端末のためのディスプレイに関する。本発明はまた、無線通信用の移動端末のためのディスプレイのための方法に関する。
2008501988.tif 000002
【特許請求の範囲】
【請求項１】
無線通信用の移動端末のためのディスプレイであって、
高色深度の第１表示領域（２）と、
低色深度の第２表示領域（３）と
を有することを特徴とするディスプレイ。
【請求項２】
ピクチャー（５）は前記第１表示領域（２）に表示されることを特徴とする請求項１に記載のディスプレイ。
【請求項３】
フレームは前記第２表示領域（３）に表示されることを特徴とする請求項１または２に記載のディスプレイ。
【請求項４】
アイコン（４）は前記第２表示領域（３）に表示されることを特徴とする請求項１乃至３のいずれか１項に記載のディスプレイ。
【請求項５】
前記第１表示領域（２）は、２４ビットの色深度を有することを特徴とする請求項１乃至４のいずれか１項に記載のディスプレイ。
【請求項６】
前記第２表示領域（３）は、８ビットの色深度を有することを特徴とする請求項１乃至５のいずれか１項に記載のディスプレイ。
【請求項７】
請求項１乃至６のいずれか１項に記載のディスプレイ（１）を有することを特徴とする無線通信用の移動端末。
【請求項８】
前記第１表示領域（２）へのピクチャー（５）も表示を制御し、前記第２表示領域（３）へのフレームおよび／またはアイコン（４）の表示を制御するための制御手段（７）を有することを特徴とする請求項７に記載の移動端末。
【請求項９】
前記制御手段（７）は、前記第１表示領域（２）に表示するためにピクチャー（５）を変更することを特徴とする請求項８に記載の移動端末。
【請求項１０】
前記制御手段（７）は、あらかじめ定義されたパラメータに応じて自動的にピクチャー（５）を変更することを特徴とする請求項９に記載の移動端末。
【請求項１１】
前記制御手段（７）は、ユーザーにより設定されたパラメータに応じて前記ピクチャー（５）を変更することを特徴とする請求項９に記載の移動端末。
【請求項１２】
無線通信用の移動端末のためのディスプレイのための方法であって、
高色深度の第１表示領域（２）を提供する工程と、
低色深度の第２表示領域（３）を提供する工程と
を有することを特徴とする方法。
【請求項１３】
前記第１表示領域（２）にピクチャー（５）を表示することを特徴とする請求項１２に記載の方法。
【請求項１４】
前記第２表示領域（３）にフレームを表示することを特徴とする請求項１２または１３に記載の方法。
【請求項１５】
前記第２表示領域（３）にアイコン（４）を表示することを特徴とする請求項１２乃至１４のいずれか１項に記載の方法。
【請求項１６】
前記第１表示領域（２）へのピクチャー（５）の表示を制御し、前記第２表示領域（３）へのフレームおよび／またはアイコン（４）の表示を制御することを特徴とする請求項１２乃至１５のいずれか１項に記載の方法。
【請求項１７】
前記第１表示領域（２）に表示するためにピクチャー（５）を変更することを特徴とする請求項１６に記載の方法。
【請求項１８】
あらかじめ定義されたパラメータに応じて自動的にピクチャー（５）を変更することを特徴とする請求項１７に記載の方法。
【請求項１９】
ユーザーにより設定されたパラメータに応じて前記ピクチャー（５）を変更することを特徴とする請求項１７に記載の方法。
【発明の詳細な説明】
【技術分野】
【０００１】
本発明は、無線通信用の移動端末のためのディスプレイに関する。
【背景技術】
【０００２】
要約
先に概略を説明したように、無線通信用の移動端末のためのディスプレイに関する一般的な問題は、高色深度の画像を表示するときのコストの高さ、または高電力消費である。
【発明の開示】
【０００３】
従って、本発明の目的は、不要な記憶領域や移動端末の電力を消費することなく、高色深度の画像を表示することができる、無線通信用の移動端末のためのディスプレイを提供することである。
【０００４】
上記目的は、請求項１の無線通信用の移動端末のためのディスプレイにより達成することができる。
【０００５】
本発明の無線通信用の移動端末のためのディスプレイは、高色深度の第１表示領域と、低色深度の第２表示領域とを有する。
【０００６】
また、上記目的は、請求項１２の無線通信用の移動端末のためのディスプレイのための方法により達成することができる。
【０００７】
本発明の無線通信用の移動端末のためのディスプレイのための方法は、高色深度の第１表示領域を提供する工程と、低色深度の第２表示領域を提供する工程とを有する。
【０００８】
好適には、前記第１表示領域にピクチャーを表示する。
【０００９】
好適には、フレームは前記第２表示領域に表示される。
【００１０】
また、好適には、アイコンは前記第２表示領域に表示される。
【００１１】
好適には、前記第１表示領域は、２４ビットの色深度を有する。
【００１２】
また、好適には、前記第２表示領域は、８ビットの色深度を有する。
【００１３】
好ましくは、本発明の移動端末は、前記第１表示領域へのピクチャーの表示を制御し、前記第２表示領域へのフレームおよび／またはアイコンの表示を制御するための制御手段を有する。
【００１４】
好適には、前記制御手段は、前記第１表示領域に表示するためにピクチャーを変更する。
【００１５】
また、好適には、前記制御手段は、あらかじめ定義されたパラメータに応じて自動的にピクチャーを変更する。
【００１６】
好ましくは、前記制御手段は、ユーザーにより設定されたパラメータに応じて前記ピクチャーを変更する。
【００１７】
なお、この明細書において「含む」／「含んでいる」という語は、記載された特徴、数字、工程、または構成が存在することを特定するもので、ほかの特徴、数字、工程、構成、またはこれらのグループの存在または追加を排除するものではない。
【００１８】
本発明の実施の形態について、例示のみを目的として図面を参照して説明する。
【発明を実施するための最良の形態】
【００１９】
実施形態の詳細な説明
【００２０】
一般的に、ピクチャーのサイズは、解像度および色深度に応じて異なる。解像度は画素の総数であり、画素で表現した場合の画像高さと画像幅との積である。また、画像で表現される色数である色深度は、１画素あたりのビット数に応じて異なる。１画素あたりのビット数をbとした場合、色深度は２bとして計算することができる。一例として、白黒画像の１画素あたりのビット数は１であり、そのため色数は２である。１画素あたりのビット数を増やし、１画素あたり２４ビットで２24、つまり、約１６００万の色深度のトゥルーカラーを達成することができる。
【００２１】
画像のサイズは、１画素あたりのビット数と画素数の積として求めることができる。例えば、解像度２４０×３２０画素、色深度１８のＱＶＧＡディスプレイは、１７２．８Kbytesに相当する２４０×３２０×１８＝１３８２４００ビットのＲＡＭサイズを有する。
【００２２】
本発明の基本的な発想は、ディスプレイおよび表示されたモチーフを与えられたＲＡＭサイズに適合させることである。従って、ディスプレイは少なくとも２つの領域に分割され、第１表示領域は画像、モチーフ、ピクチャーなどを高色深度で表示するために用い、第２表示領域は画像、モチーフ、ピクチャーなどを低色深度で表示するために用いる。
【００２３】
これにより、低色深度の第２表示領域は、単純表示、すなわち、ローカラーモチーフを表示するために用いることができ、ＲＡＭの大部分を、第１表示領域にハイカラーピクチャーを最適表示するために用いることができる。
【００２４】
なお、ディスプレイは、異なる色深度または部分的に同じ色深度を有する３以上の表示領域に分割してもよい。
【００２５】
図１は、本発明の第１の実施形態におけるディスプレイを示す。ディスプレイは第１表示領域２と第２表示領域３とに分けられている。第１表示領域２は第２表示領域３よりも高い色深度を有し、例えば、１画素あたり１８または２４ビットのフルカラーまたはハイカラーのピクチャー５を表示するために用いることができる。第２表示領域３はピクチャー５のフレームとして用いることができる。フレームは、例えば、１画素あたり１ビットに相当する白黒や、１画素あたり３ビットの８色であってもよい。
【００２６】
なお、上述した例では、第１表示領域では１画素あたり１８または２４ビット、第２表示領域では１画素あたり１または３ビットとしたが、本発明はこれに限られるものではなく、２つの表示領域それぞれについて、可能な色深度を用いることができる。
【００２７】
第２表示領域３に対する第１表示領域２の位置は、図１に示すようであってもよく、図１では、ディスプレイ１の中心にある第１表示領域２の周りに、第２表示領域３がある一定深度のフレームを構成している。また、第１表示領域２のサイズを変更したり、第１表示領域２の異なる側でフレームの深度をかえたりしてもよい。また、第１表示領域２の形を、円や楕円、星形など、他の形状に変えることも可能である。
【００２８】
図２は、本発明の第２の実施形態にかかるディスプレイを示す。ここでもまた、第１表示領域２に高色深度でピクチャー５が表示され、第２表示領域３では、低色深度が用いられている。さらに、アイコン４が第２表示領域３に表示されている。アイコン４を用いることで、通信端末上でユーザーがデータを入力したり、オプションを選択したり、メニューをスクロールしたり、その他の動作を達成することができる。従って、ピクチャー５を高色深度で表示すると同時に、ユーザーはＲＡＭサイズの容量を超えることなく、移動端末を簡単に操作することができる。
【００２９】
なお、第１表示領域２と第２表示領域３では、異なる色深度、サイズ、または形状を用いることができる。
【００３０】
「移動端末」という語は、携帯無線通信機器を含む。「携帯無線通信機器」という語は、移動電話、ページャー、デジタルスチルカメラ、例えば、電子オーガナイザー、スマートフォン、ＰＤＡ(personal digital assistants)などのコミュニケーターすべての機器を含む。
【００３１】
第１表示領域２に表示するために、ピクチャーが必要とするＲＡＭサイズを減らさなければいけない場合、ピクチャーの解像度を減らすことにより達成することができる。再び、解像度２４０×３２０画素、色深度１８ビットのＱＶＧＡディスプレイを例にとると、ディスプレイは、最大２４ビットの高色深度のピクチャーを表示するための１８０×２２０画素の第１表示領域２と、それよりも低色深度、例えば８ビットの第２表示領域３とに分けることができる。これにより、ＲＡＭの使用容量を減らすことができる。
【００３２】
高・低色深度という語は、ここでは、第１表示領域２の色深度が第２表示領域３の色深度より高いというだけではなく、色深度の特定関係に言及している。例えば、第２表示領域３の色深度は、第１表示領域２の色深度の最大１／３、または、第２表示領域３の色深度は、第１表示領域２の色深度の最大１／２というように決めることができる。
【００３３】
図３は、本発明にかかるディスプレイを有する移動端末の概略ブロック図を示す。移動電話、ページャー、ＰＤＡ、電子オーガナイザー、スマートフォンなどの移動端末１０は、ディスプレイ１と、ディスプレイ１に表示されるピクチャー、画像、アイコンなどを記憶するためのディスプレイ１に関連づけられたＲＡＭ６とを有する。
【００３４】
入力手段９は、例えば、キーパッド、タッチパッド、マウス、音声認識、赤外線などを介した無線送信またはシリアルケーブルなどの他の手段を用いた送信用のインターフェースなどであって、ユーザーがデータや情報を入力することができる。出力手段１０は、例えば、スピーカー、プリンタやファックスまたは他の携帯または据え置き型デバイスと接続するためのインターフェースであって、情報、データ、またはプログラムをユーザーや他のデバイスに出力する。これにより、ユーザーが移動端末１０の機能を操作することができる。
【００３５】
制御手段７は移動端末１０全体の処理を制御し、送信、記憶、削除、データや情報の処理を管理する。また、制御７は、ピクチャー５を最適な状態でディスプレイ１に表示するために、与えられたＲＡＭ６にピクチャー５を適合させる責任を負う。
【００３６】
既に上述したように、ピクチャー５を与えられたＲＡＭ６に適用することは、ピクチャー５の解像度または色深度のいずれかを変えることにより達成することができる。ピクチャー５を変更する代わりに、第１表示領域２および／または第２表示領域３のサイズを変更することも可能であり、これにより、与えられたＲＡＭ６のサイズを常に考慮する。ピクチャー５の解像度、ピクチャー５の色深度、第１表示領域２および／または第２表示領域を変更するかどうかの決定は、制御手段７により自動的に、またはユーザーにより達成することができる。
【００３７】
例えば、ピクチャー５がＲＡＭ６のサイズよりも小さい場合、ピクチャーを変えずに、または解像度または色深度を高くして、表示することができる。ピクチャー５のサイズがＲＡＭ６のサイズよりも大きい場合は、第１表示領域２にピクチャー５を表示するために解像度および／または色深度を落とすか、第１表示領域２と第２表示領域３のサイズを変えなければならない。
【００３８】
ピクチャー５の解像度または色深度をどの程度落とすかは、元の解像度および色深度によって異なる。つまり、ピクチャー５の解像度が非常に高ければ、ピクチャー５をできる限り高い解像度で表示できるように、制御手段７は自動的に第１表示領域２を大きくするか、および／または、第２表示領域３の色深度を下げる。また、ユーザーの選択または制御手段７による自動選択に応じて、ピクチャー５の一部のみを表示することも可能である。例えば、表示されたピクチャー５が最大色深度を持つようにユーザーが入力手段９を介して選択した場合、制御手段７は、出力手段８を介してユーザーが選択可能な選択肢を出力する。すなわち、ピクチャー５を非常に低い解像度で表示しなければならない場合、ピクチャー５の一部のみを表示しなければならない場合、第１表示領域２を大きくしなければならない場合、第２表示領域３の色深度を低くしなければならない場合などを出力する。
【００３９】
このように、制御手段７により自動的に選択されても、ユーザーにより選択されても、ピクチャー５の元のパラメータ、移動端末１０から与えられるソースおよびユーザーによる選択内容を考慮に入れることで、ピクチャー５は最適に表示される。
【００４０】
図４は、ピクチャー５がどのように変更され、表示されるかの処理を示すフローチャートである。ステップＳ０で、例えば、移動端末１０がスイッチオンされることで、処理が開始する。次のステップＳ１において、表示されるべきピクチャー５のサイズを決定することで、実際の解像度および色深度を決定する。ピクチャー５のサイズは、ステップＳ２でＲＡＭ６の与えられたサイズと比較される。そして、ステップＳ３で、ユーザーは、どのようにピクチャー５を表示したいかを示す指示を入力することができる。ステップＳ４において、ピクチャー５は、ＲＡＭ６の与えられたサイズ、第１表示領域２および上述したようにユーザーにより入力された指示に応じて変更される。最後に、ステップＳ５においてピクチャー５は第１表示領域１に表示される。処理はステップＳ６で、例えば、移動端末１０をスイッチオフすることで終了する。
【図面の簡単な説明】
【００４１】
【図１】図１は、本発明の第１の実施形態を示すブロック図である。
【図２】図２は、本発明の第２の実施形態を示すブロック図である。
【図３】図３は、本発明のディスプレイを有する移動端末の概略ブロック図である。
【図４】ピクチャーを変更する処理を示すフローチャートである。
【図１】
2008501988.tif 000003
【図２】
2008501988.tif 000004
【図３】
2008501988.tif 000005
【図４】
2008501988.tif 000006
【手続補正書】
【提出日】平成19年1月16日(2007.1.16)
【手続補正１】
【補正対象書類名】特許請求の範囲
【補正対象項目名】全文
【補正方法】変更
【補正の内容】
【特許請求の範囲】
【請求項１】
無線通信用の移動端末のためのディスプレイであって、
高色深度の第１表示領域（２）と、
低色深度の第２表示領域（３）と、
前記第１表示領域（２）へのピクチャー（５）の表示を制御するための制御手段（７）とを有し、
前記制御手段（７）は、前記第１表示領域（２）に表示するためにピクチャー（５）を変更し、変更のタイプは、使用されたランダムアクセスメモリＲＡＭ（６）のサイズに応じて異なることを特徴とするディスプレイ。
【請求項２】
ピクチャー（５）は前記第１表示領域（２）に表示されることを特徴とする請求項１に記載のディスプレイ。
【請求項３】
フレームは前記第２表示領域（３）に表示されることを特徴とする請求項１または２に記載のディスプレイ。
【請求項４】
アイコン（４）は前記第２表示領域（３）に表示されることを特徴とする請求項１乃至３のいずれか１項に記載のディスプレイ。
【請求項５】
前記第１表示領域（２）は、２４ビットの色深度を有することを特徴とする請求項１乃至４のいずれか１項に記載のディスプレイ。
【請求項６】
前記第２表示領域（３）は、８ビットの色深度を有することを特徴とする請求項１乃至５のいずれか１項に記載のディスプレイ。
【請求項７】
請求項１乃至６のいずれか１項に記載のディスプレイ（１）を有することを特徴とする無線通信用の移動端末。
【請求項８】
前記制御手段（７）は、前記第２表示領域（３）へのフレームおよび／またはアイコン（４）の表示を制御することを特徴とする請求項７に記載の移動端末。
【請求項９】
前記制御手段（７）は、あらかじめ定義されたパラメータに応じて自動的にピクチャー（５）を変更することを特徴とする請求項７に記載の移動端末。
【請求項１０】
前記制御手段（７）は、ユーザーにより設定されたパラメータに応じて前記ピクチャー（５）を変更することを特徴とする請求項７に記載の移動端末。
【請求項１１】
無線通信用の移動端末のためのディスプレイのための方法であって、
高色深度の第１表示領域（２）を提供する工程と、
低色深度の第２表示領域（３）を提供する工程と、
前記第１表示領域（２）へのピクチャー（５）の表示を制御する制御工程とを有し、
前記第１表示領域（２）に表示するためにピクチャー（５）を変更し、変更のタイプは、使用されたランダムアクセスメモリＲＡＭ（６）のサイズに応じて異なることを特徴とする方法。
【請求項１２】
前記第１表示領域（２）にピクチャー（５）を表示することを特徴とする請求項１１に記載の方法。
【請求項１３】
前記第２表示領域（３）にフレームを表示することを特徴とする請求項１１または１２に記載の方法。
【請求項１４】
前記第２表示領域（３）にアイコン（４）を表示することを特徴とする請求項１１乃至１３のいずれか１項に記載の方法。
【請求項１５】
前記第２表示領域（３）へのフレームおよび／またはアイコン（４）の表示を制御することを特徴とする請求項１１乃至１４のいずれか１項に記載の方法。
【請求項１６】
あらかじめ定義されたパラメータに応じて自動的にピクチャー（５）を変更することを特徴とする請求項１１に記載の方法。
【請求項１７】
ユーザーにより設定されたパラメータに応じて前記ピクチャー（５）を変更することを特徴とする請求項１１に記載の方法。
【国際調査報告】
2008501988.tif 000007
2008501988.tif 000008
2008501988.tif 000009